(57)【特許請求の範囲】
【請求項１】
駐車場の入口に設けられた車両の進入を阻止できる入口ゲートと、
前記駐車場の出口側に設けられ、その駐車場から進出する車両を検出したときに開いてその車両の進出を許可する出口ゲートと、
前記駐車場所有者に係る営業所内で使用可能な金券カードを発行することのできる、その駐車場の入口に設けられたカード処理機と、
前記カード処理機に前記駐車場所有者の営業所に係る会員カードが挿入されることなく、そのカード処理機に所定の金額の金銭が投入されて金券カードが発行されたときに、前記入口ゲートを開いて車両の進入を許可する第１の制御手段と、
前記カード処理機に挿入された前記駐車場所有者の営業所に係る会員カードに記録されているデータを読取る読取手段と、
前記読取手段で読取られたデータ中に前記駐車場所有者の営業所内で所定の金額以上の購入を行ったことを示すデータが含まれているときに、前記会員カードに記録されているデータから１回の駐車料金に見合う値を減算処理した新たなデータをその会員カードに書込んで返却するとともに、前記入口ゲートを開にし、その読取手段で読取られたデータ中にその駐車場所有者の営業所内で所定の金額以上の購入を行ったことを示すデータが含まれていないときに、その会員カードを返却するとともに、金券カードの購入案内を行う第２の制御手段と、
を有することを特徴とする駐車場管理装置。
【請求項２】
請求項１に記載の駐車場管理装置において、カード発行機には、挿入された金額内で金券カードの金額を指定する複数の金額釦が設けられていることを特徴とする駐車場管理装置。
【発明の詳細な説明】
【０００１】
【発明の属する技術分野】
本発明は、駐車場管理装置に係り、特に、駐車場を利用した利用者に対して、その駐車場所有者の経営する店舗等の営業所内で買物等の購買活動を促すことのできるものに関する。
【０００２】
【従来の技術】
従来、例えば、デパートにおいては、利用者の便を考慮して専用駐車場を有している。そして、その駐車場利用者がデパート内で所定金額以上の買物をしたときは無料で駐車することができ、買物の金額が所定額に満たないときは有料で駐車することができる。
【０００３】
また、特開平５−６８７３９号公報に示されるように、いわゆるパチンコカードを購入したときは駐車場に入場でき、そのパチンコカードが使用されたデータに基づいて駐車場から出場できるようにした駐車場管理装置も提案されている。
【０００４】
【発明が解決しようとする課題】
しかしながら、デパートの駐車場は、駐車場収入を目的に設けられているのでなく、駐車場利用者がデパート内で買物をするための便宜に設けられている。
【０００５】
したがって、デパートで買物をしない駐車場利用者は、デパートで買物をしようとする利用者の駐車を妨げるだけでなく、デパートにおける売上に悪影響を及ぼすことが懸念される。
【０００６】
このような懸念は、デパートの駐車場に限らず、レストランの駐車場や遊園地の駐車場、その他各種販売に係る営業所の駐車場、あるいは有料の各種催物会場の駐車場においても同様である。
【０００７】
また、上記パチンコカードを利用した駐車場管理装置においては、駐車場の出口に使用済みのパチンコカードを読取る装置を設けるとともに、その読取結果が車両の出場を許可できるときに出口ゲートを開き、その読取結果が車両の出場を許可できないとき、精算機に駐車料金を投入して出口ゲートを開くように構成されているので、駐車場の入口及び出口の両側に複雑で高価な機器を必要とし、設備コストが嵩むことが懸念される。
【０００８】
そこで、本発明は、上記欠点を解決するためになされたものであって、その目的は、デパート等の駐車場所有者の売上に寄与することができるとともに、設備コストの安い駐車場管理装置を提供することにある。
【０００９】
【課題を解決するための手段】
本発明の請求項１に係る駐車場管理装置は、上記目的を達成するために、駐車場の入口に設けられた車両の進入を阻止できる入口ゲートと、前記駐車場の出口側に設けられ、その駐車場から進出する車両を検出したときに開いてその車両の進出を許可する出口ゲートと、前記駐車場所有者に係る営業所内で使用可能な金券カードを発行することのできる、その駐車場の入口に設けられたカード処理機と、そのカード処理機に前記駐車場所有者の営業所に係る会員カードが挿入されることなく、そのカード処理機に所定の金額の金銭が投入されて金券カードが発行されたときに、前記入口ゲートを開いて車両の進入を許可する第１の制御手段と、前記カード処理機に挿入された前記駐車場所有者の営業所に係る会員カードに記録されているデータを読取る読取手段と、その読取手段で読取られたデータ中に前記駐車場所有者の営業所内で所定の金額以上の購入を行ったことを示すデータが含まれているときに、前記会員カードに記録されているデータから１回の駐車料金に見合う値を減算処理した新たなデータをその会員カードに書込んで返却するとともに、前記入口ゲートを開にし、その読取手段で読取られたデータ中にその駐車場所有者の営業所内で所定の金額以上の購入を行ったことを示すデータが含まれていないときに、その会員カードを返却するとともに、金券カードの購入案内を行う第２の制御手段とを有することを特徴としている。
また、本発明の請求項２に係る駐車場管理装置は、上記目的を達成するために、カード発行機には、挿入された金額内で金券カードの金額を指定する複数の金額釦が設けられていることを特徴としている。
【００１０】
【発明の実施の形態】
以下、本発明の実施の形態を図面に基づいて説明する。図１は、一実施の形態に係る駐車場管理装置の概略構成を示す平面図である。
【００１１】
駐車場Ｐは、駐車場の経営を主たる目的とするものに係るものでなく、例えばデパートの来客用、あるいは有料遊園地等の来客用であって、駐車場Ｐを所有者の営業所内で商品等を購入する利用者用の駐車場である。なお、本発明では、営業所の営業者と駐車場所有者が同一でない場合も含んでいる。すなわち、駐車場の利用者が営業所を利用する関係にあればよいことを意味しているにすぎない。
【００１２】
駐車場Ｐの入口及び出口には、車両Ｃの入出場を阻止するポール式の入口ゲートＧ1 及び出口ゲートＧ2 がそれぞれ設けられている。
【００１３】
これらゲートＧ1 ，Ｇ2 のうち、入口ゲートＧ1 は、後述するカード処理機１により制御され、出口ゲートＧ2 は、出口側に設けられた光電式等からなる周知のセンサＳが車両Ｃを検出したときに、ポールが開いて車両Ｃの進出を許可する簡単な構造であり、要するに、出口から車両が駐車場Ｐに逆進入できないように構成されている。
【００１４】
図２は、カード処理機１の正面図であって、このカード処理機１は、入口ゲートＧ1 の近くに、つまり駐車場Ｐの入口に設けられている。
【００１５】
カード処理機１の正面パネル１ａには、稼動状態を示す表示部２と、紙幣挿入口３から挿入された金銭の金額を表示する投入金額表示部４と、後述する金券カードの金額を指定する複数の金額釦５ａ，５ｂ，５ｃと、釣銭及び金券カードの排出口６と、後述する会員カードの会員カード挿入口７とが設けられている。
【００１６】
会員カード挿入口７から挿入される会員カードａは、図３に示されるように、駐車場Ｐがデパートの駐車場である場合、そのデパートの会員券を示すカードであり、周知の会員カードと同様に、その会員カードを提示すればデパート内で所定の割引を受けることができるとともに、各売場に設けられたライタにより売上に応じたデータを磁気的に記録できるように構成されている。
【００１７】
排出口６から排出される金券カードｂは、例えば駐車場Ｐに係るデパートでのみ使用可能なプリペイドカード式の金券であり、図示の例では５０００円の金券カードｂの例が示されている。
【００１８】
カード処理機１から発行される最少の金額の金券カードｂは、従来、デパートで所定以上の金額の買物をしたときに駐車料金が無料となる金額を基準に定められ、図２の例では３０００円が最少額である。この金券カードｂが高額のとき、例えば１万円のときは、数％のプレミアムを付与することも可能であり、このようにプレミアムを付与すると売上の増加に寄与することができる。
【００１９】
図２中、８はカード処理機１を統括的に制御する制御器であって、その電気的構成は図５に示されている。
【００２０】
制御器８は、ＲＯＭ９に格納されているシステムプログラムとＲＡＭ１０に格納されているワーキングデータとを用いて演算処理する中央処理部（ＣＰＵ）１１を有している。そして、このＣＰＵ１１は、Ｉ／Ｏユニット１２を介して会員カード挿入口７から挿入された会員カードａに記録されているデータを読取るとともに、新たなデータを書込むことのできる磁気ヘッドを備えたカードリード・ライトユニット１３と、金額釦５ａ〜５ｃで特定された所定の金額の金券カードｂを排出口６に排出することのできる金券処理ユニット１４と、紙幣挿入口３から挿入された紙幣を鑑別し、必要に応じて排出口６に釣銭を排出することのできる金銭処理ユニット１５と、入口ゲートＧ1 を駆動するゲートドライバ１６とが接続されている。
【００２１】
上記金券処理ユニット１４は、予め、複数種の金券カード、つまり、金額毎にデータ及び印字処理された金券カードを用意しておき、押下された金額釦（５ａ〜５ｃ）に対応した金券カードを排出口６に排出するように構成されているが、発券処理ユニット１４中に、データ書込ヘッド及び印字機構を設けておき、押下された金額釦（５ａ〜５ｃ）に対応してデータ書込及び印字処理するようにしてもよい。
【００２２】
また、上記金銭処理ユニット１５は、紙幣のみを処理する機構としたが、もちろん、硬貨も受入れて処理できるようにすることもできる。しかし、発行される金券カードｂは、単なる駐車券でなく、ある程度高額のプリペイドカードなので、紙幣だけ処理できる機構で十分である。
【００２３】
次に、図６のフローチャートを参照して本実施の形態に係る駐車場管理装置をデパートの駐車場Ｐに適用したときの制御動作について説明する。
【００２４】
今、車両Ｃが駐車場Ｐの入口に進入し、利用者が会員カードａを会員カード挿入口７に挿入したとする（ステップ１００肯定。以下、ステップをＳとする。）。
【００２５】
挿入された会員カードａは、カードリード・ライトユニット１３を介して記録されているデータが読取られる。そして、その読取られたデータを基にしたＣＰＵ１１の演算が駐車場Ｐへの駐車を許可できるとき、すなわち、その会員カードａに記録されているデパートにおける購入金額が所定額以上であるときは、ゲートドライバ１６を介して入口ゲートＧ1 が開かれるとともに、返却される会員カードａのデータは、１回の駐車料金に見合う値（図６ではポイント）の減算された新たなデータが書込まれる（Ｓ１０２肯定、Ｓ１０３、Ｓ１０４）。車両Ｃが入口を通過したときは、図示しないセンサで検出されて入口ゲートＧ1 は閉じられる（Ｓ１０６肯定、Ｓ１０８）。
【００２６】
上述のように、入口ゲートＧ1 は、デパートの会員カードａを所持し、かつ過去に所定の金額以上の買物をした利用者が駐車でき、しかも、駐車回数が減算処理で管理されるので、単に会員カードｂを所持しているだけで駐車できず、駐車目的だけの利用者を効果的に区別することができる。
【００２７】
会員カード挿入口７に挿入された会員カードａに記録されているデータを基にした演算結果が駐車場Ｐへの入場を許可できないとき（Ｓ１０２否定）、その挿入された会員カードａは返却されるとともに、金券カードｂの購入案内が表示部２に行われる（Ｓ１１０）。
【００２８】
上述のように、駐車が許可されなかった会員カードａを所持している利用者、又は最初から会員カードｂを所持していなかった利用者は（Ｓ１００否定）、紙幣挿入口３に所定の金額を満たす紙幣を挿入し、希望する金額釦（５ａ〜５ｃ）を押下すると、その押下した金額釦に対応した金券カードｂが排出口６に排出されるとともに、入口ゲートＧ1 が開いて車両Ｃの駐車が許可される（Ｓ１１２、Ｓ１１３、Ｓ１０４〜Ｓ１０８）。
【００２９】
金券カードｂの発行を受けて駐車場Ｐに駐車した利用者は、その金券カードを用いてデパート内で買物をすることができ、また、会員カードａを所持しているときは、その会員カードａに購入金額に相当する値のデータを店員により書込んでもらい、次回の駐車に利用することができる。
【００３０】
以上のように、本実施の形態に係る駐車場管理装置は、駐車場を利用した利用者がデパート等の営業所内で積極的に購買活動を行うようになるので、極めて有益な駐車場管理装置とすることができる。
【００３１】
【発明の効果】
本発明の請求項１に係る駐車場管理装置は、駐車場の入口に設けられた車両の進入を阻止できる入口ゲートと、駐車場から進出する車両を検出したときに開いてその車両の進出を許可する出口ゲートと、前記駐車場所有者に係る営業所内で使用可能な金券カードを発行することのできるカード処理機と、そのカード処理機に前記駐車場所有者の営業所に係る会員カードが挿入されることなく、そのカード処理機に所定の金額の金銭が投入されて金券カードが発行されたときに、入口ゲートを開いて車両の進入を許可する第１の制御手段と、前記カード処理機に挿入された前記駐車場所有者の営業所に係る会員カードに記録されているデータを読取る読取手段と、その読取手段で読取られたデータ中に前記駐車場所有者の営業所内で所定の金額以上の購入を行ったことを示すデータが含まれているときに、前記会員カードに記録されているデータから１回の駐車料金に見合う値を減算処理した新たなデータをその会員カードに書込んで返却するとともに、前記入口ゲートを開にし、その読取手段で読取られたデータ中にその駐車場所有者の営業所内で所定の金額以上の購入を行ったことを示すデータが含まれていないときに、その会員カードを返却するとともに、金券カードの購入案内を行う第２の制御手段とからなるので、利用者は駐車場所有者の営業所内で積極的に購買活動を行うようになり、売上に寄与することができる。また、会員カードを用いて駐車できるとともに、その会員カードを利用して駐車場所有者の営業所内で積極的に購買活動を行うようになり、売上に寄与することができる。
【００３２】
本発明の請求項２に係る駐車場管理装置は、カード発行機には、挿入された金額内で金券カードの金額を指定する複数の金額釦が設けられているので、利用者は、希望する金券カードを容易に購入することができる。
【図面の簡単な説明】
【図１】本発明の一実施の形態に係る駐車場管理装置を適用したときの駐車場の概略構成を示す平面図である。
【図２】カード処理機の正面図である。
【図３】会員カードの正面図である。
【図４】金券カードの正面図である。
【図５】制御器の電気的構成を示すブロック図である。
【図６】制御動作を示すブロック図である。
【符号の説明】
１          カード処理機
２          表示部
３          紙幣挿入口
４          金額表示部
５ａ〜５ｃ  金額釦
６          排出口
７          会員カード挿入口
８          制御器（制御手段）
Ｐ          駐車場
Ｇ1         入口ゲート
Ｇ2         出口ゲート
Ｓ          センサ
【図１】
0003657660.tif 000002
【図２】
0003657660.tif 000003
【図３】
0003657660.tif 000004
【図４】
0003657660.tif 000005
【図５】
0003657660.tif 000006
【図６】
0003657660.tif 000007